(57)【要約】      （修正有）【課題】エアセルの膨張する頂点を変更することが可能であり、広範囲の押圧を可能とするエアセルを提供する。【解決手段】給排気口と、縁部１０４と、縁部１０４の内側に設けられた膨張収縮する施療部１０３と、を有し、前記施療部１０３は断面において、押圧部１０６と、押圧部１０６から一方の縁部１０４の間に設けられた第１エリア１０７と、押圧部１０６から他方の縁部１０４の間に設けられた第２エリア１０８と、により形成され、第１エリア１０７と第２エリア１０８は、夫々凹凸状となっており、前記凹凸状の底と頂点には略平坦部１０９が設けられており、前記第１エリア１０７の略平坦部１０９は、第２エリア１０８の略平坦部１０９に比べて長いことを特徴とする。【選択図】図５
2016007252.tif 000002
【特許請求の範囲】
【請求項１】
給排気口と、縁部と、縁部の内側に設けられた膨張収縮する施療部と、を有し、
前記施療部は断面において、押圧部と、押圧部から一方の縁部の間に設けられた第１エリアと、押圧部から他方の縁部の間に設けられた第２エリアと、により形成され、
第１エリアと第２エリアは、夫々凹凸状となっており、
前記凹凸状の底と頂点には略平坦部が設けられており、
前記第１エリアの略平坦部は、第２エリアの略平坦部に比べて長い
ことを特徴とするマッサージ用エアセル。
【請求項２】
前記第１エリアの略平坦部の合計の長さは、第２エリアの略平坦部の合計の長さに比べて長い
ことを特徴とする請求項１に記載のマッサージ用エアセル。
【請求項３】
前記第１エリアは、長さが異なる略平坦部を複数有する
ことを特徴とする請求項１又は２に記載のマッサージ用エアセル。
【請求項４】
前記第１エリアの略平坦部は、押圧部から縁部に向かうほど長くなる
ことを特徴とする請求項１〜３のいずれかに記載のマッサージ用エアセル。
【請求項５】
前記第２エリアの略平坦部は、それぞれ長さが一定である
ことを特徴とする請求項１〜４のいずれかに記載のマッサージ用エアセル。
【請求項６】
前記施療部の凹凸状は、それぞれ高さが同一である
ことを特徴とする請求項１〜５のいずれかに記載のマッサージ用エアセル。
【発明の詳細な説明】
【技術分野】
【０００１】
本発明はマッサージ用エアセルに関する。
【背景技術】
【０００２】
従来、径方向の一端側と径方向に他端側で斜面沿いの長さを変更して、エアセルの膨張方向を斜め方向に持ち上がるエアセルが記載されている。（例えば、特許文献１）
【先行技術文献】
【特許文献】
【０００３】
【特許文献１】特許第３３９２１３７号
【発明の概要】
【発明が解決しようとする課題】
【０００４】
しかし、特許文献１に示すような斜め方向に持ち上がるエアセルは、膨張する頂点位置を変更することができるが、頂点部が高くあがるものの押圧できる箇所が小さいという問題がある。このため、エアセルによる広範囲な押圧ができない。
本発明は、エアセルの膨張する頂点を変更することが可能であり、広範囲の押圧を可能とするエアセルを提供することを目的とする。
【課題を解決するための手段】
【０００５】
本発明のマッサージ用エアセルは、給排気口と、縁部と、縁部の内側に設けられた膨張収縮する施療部と、を有し、前記施療部は断面において、押圧部と、押圧部から一方の縁部の間に設けられた第１エリアと、押圧部から他方の縁部の間に設けられた第２エリアと、により形成され、第１エリアと第２エリアは、夫々凹凸状となっており、前記凹凸状の底と頂点には略平坦部が設けられており、前記第１エリアの略平坦部は、第２エリアの略平坦部に比べて長いことを特徴とする。
このような構成とすることで、通常のエアセルは膨張させると中央が頂点となるが、第１エリアのように第２エリアより長い略平坦部を設けることで、施療部の膨張の頂点の位置を変更することが可能である。
【０００６】
また、前記第１エリアの略平坦部の合計の長さは、第２エリアの略平坦部の合計の長さに比べて長いことが好ましい。
このように構成することで、第１エリアの略平坦部の合計の長さは、第２エリアの略平坦部の合計の長さに比べて長いので、施療部の膨張の頂点の位置を変更することが可能である。
【０００７】
また、前記第１エリアは、長さが異なる略平坦部を複数有することが好ましい。
このように構成することで、第１エリアの略平坦部は、長さが同一でなく、異なっているため、施療部の膨張の頂点の位置を変更することが可能である。
【０００８】
また、前記第１エリアの略平坦部は、押圧部から縁部に向かうほど長くなることが好ましい。
このように構成することで、膨張の頂点位置を変更できる。また、被施療者に接触する接触面を大きくすることが可能である。
【０００９】
また、前記第２エリアの略平坦部は、それぞれ長さが一定であることが好ましい。
このように構成することで、第１エリアと第２エリアの膨張の仕方が異なるため、膨張の頂点位置を変更することが可能である。
【００１０】
また、前記施療部の凹凸状は、それぞれ高さが同一であることが好ましい。
このように構成することで、このように構成することで、エアセルの収縮状態において、エアセルを平坦な状態とすることが可能である。
先行技術のエアセルは、波の高さを変更しているので、波が大きくなり収縮状態となっても平坦にならない。
【発明の効果】
【００１１】
本発明によれば、エアセルの膨張する頂点を変更することが可能であり、広範囲の押圧を可能となる。
【図面の簡単な説明】
【００１２】
【図１】本発明のマッサージ用エアセルを搭載した椅子型マッサージ機の斜視図である。
【図２】本発明のマッサージ用エアセルを搭載した椅子型マッサージ機のブロック図である。
【図３】本発明の実施形態に係る椅子型マッサージ機１のマッサージ用エアセルの配置を示す模式図である。
【図４】本発明のマッサージ用エアセルを示す図である。
【図５】本発明のマッサージ用エアセルの断面を示す図である。
【図６】従来のマッサージ用エアセルと本発明のマッサージ用エアセルの断面を示す図である。
【図７】本発明のマッサージ用エアセルの別実施形態を示す図である。
【図８】本発明のマッサージ用エアセルを搭載した座部を示す図である。
【図９】本発明のマッサージ用エアセルを搭載した凹状部を示す図である。
【図１０】本発明のマッサージ用エアセルを搭載した凹状部を示す図である。
【発明を実施するための形態】
【００１３】
以下、本発明の実施の形態を、図面を参照して説明する。
図１は、本発明のエアセルを搭載した椅子型マッサージ機１の斜視図である。
なお、以下の説明で用いる方向の概念は、起立状態にある椅子型マッサージ機１に着座した被施療者から見たときの方向の概念と一致するものとし、左手側が「左」であり、右手側が「右」であり、頭部側が「上」であり、腰部側が「下」であり、被施療者の顔側が「前」であり、被施療者の後頭部側が「後」であり、その他の場合は適宜説明するものとする。
図１の椅子型マッサージ機１は、被施療者の背中を支持する背凭れ部２と、被施療者が着座する座部３と、脹脛と足を支持するフットレスト４を有している。また、フットレスト４は、脚保持部４１と足保持部４２に分割されていてもよい。
また、背凭れ部２には、枕７(図３参照)が設けられていてもよい。
【００１４】
図１の背凭れ部２の内部には、機械式のマッサージ機２０が搭載されていてもよい。
この様に構成することで、機械式のマッサージ機２０は、背凭れ部２に支持された被施療者の背中をマッサージすることが可能となる。
また、椅子型マッサージ機１は、背凭れ部２を起倒させるリクライニング用モータ６４（図２参照）を有していてもよい。
リクライニング用モータ６４（図２参照）は、単に背凭れ部２のみを起倒するものであってもよいし、背凭れ部２の起倒とフットレスト４の回動を同時に行うものであってもよい。  
背凭れ部２とフットレスト４を連動させる場合は、背凭れ部２の倒伏に合わせて、フットレスト４が上昇回動し、背凭れ部２の起立に合わせて、フットレスト４が下降するように連動させるとよい。
【００１５】
図２は、本発明の実施形態に係る椅子型マッサージ機１のブロック図を示すものである。
前記椅子型マッサージ機１は、制御部６０を有している。
図２に示す制御部６０は、前記機械式のマッサージ機２０とリクライニング用モータ６４とエアポンプ３１を制御している。
前記エアポンプ３１が送気する圧縮空気は、電磁弁３２を介してマッサージ用エアセル１００へ送られる。
【００１６】
前記背凭れ部２に設けられたマッサージ用エアセル１００は、背凭れ部２の身体支持面の下側に設けられた腰エアセルＬ２０１と腰エアセルＲ２０２と、背凭れ部２の身体支持面の上側に設けられた背裏エアセルＬ２０３と背裏エアセルＲ２０４とを有している。
【００１７】
前記座部３に設けられたマッサージ用エアセル１００は、座部３の身体支持面（座面）に設けられる。
座面の背凭れ部２側には、臀部を背面から押圧する臀部エアセルＬ３０１と臀部エアセルＲ３０２が設けられており、座面のフットレスト４側には大腿部の背面を押圧する大腿部エアセルＬ３０３と大腿部エアセルＲ３０４が設けられている。
前記臀部エアセルＬ３０１と臀部エアセルＲ３０２及び、前記大腿部エアセルＬ３０３と大腿部エアセルＲ３０４は、左半身及び右半身を押圧できるように左右に分けているが、一体として座面の幅方向に亘るエアセルを設けるものであってもよい。
【００１８】
また、前記座部３に設けられたマッサージ用エアセル１００は、座部３の身体支持面（座面）の側部にも設けられている。
座面の左右の側部には、臀部の側部や大腿部の側部を押圧できるように、エアセルが座面から立上って設けられている。
座面の背凭れ部２側には、臀部を側面から押圧する臀部側面エアセルＬ３０５と臀部側面エアセルＲ３０６が設けられており、座面のフットレスト４側には大腿部の側面を押圧する大腿部側面エアセルＬ３０７と大腿部側面エアセルＲ３０８が設けられている。
また、前記臀部側面エアセルＬ３０５と大腿部側面エアセルＬ３０７及び、臀部側面エアセルＲ３０６と大腿部側面エアセルＲ３０８は、臀部や大腿部を個別に押圧できるように分けているが、一体として座面の側部に亘るエアセルを設けるものであってもよい。
【００１９】
前記フットレスト４に設けられたマッサージ用エアセル１００は、脚を保持する脚保持部４１の凹状の溝部分に設けられている。
前記凹状分の両側面には、脹脛エアセルＬ４０１と脹脛エアセルＲ４０２が対向して設けられており、脚の両側面を押圧する。
また、前記凹部の両側面の間にある中間面には、脹脛の背面を押圧する脹脛裏エアセル４０３が設けられている。
また、脚保持部４１は左右の脚が保持できるように左右一対設けられており、左右で同様の構成となっている。
【００２０】
さらにフットレスト４は、足を保持する足保持部４２を有していてもよい。足保持部４２も凹状の溝部分が設けられており、前記凹状部の両側面は、足先から足首に沿って設けられている。
前記凹状部の足首部分の両側面には、足首エアセルＬ４０４，足首エアセルＲ４０５が対向して設けられており、足首を両側面から押圧する。
前記凹状部の足先部分の両側面には、足先エアセルＬ４０６，足先エアセルＲ４０７が設けられており、前記両側面の間にある中間面には、足裏を押圧する足裏エアセル４０８が設けられている。
また、足裏エアセル４０８は、足先側の位置、土踏まずの位置、かかとの位置にあってもよい。
【００２１】
肘掛け部５に設けられたマッサージ用エアセル１００は、被施療者の手や前腕を施療する。
肘掛け部５は、左右で同じ構造となっている。
肘掛け部５は、凹状となっており、前記凹状の溝部分に手と腕を位置させることが可能となっている。
前記肘掛け部５の凹状部分の両側面には、被施療者の手先部を施療する手エアセルＡ５０１，手エアセルＢ５０２が対向して設けられおり、前記両側面の間にある中間面には、手エアセルＣ５０３が設けられている。
さらに前記肘掛け部５の凹状部分の両側面には、被施療者の前腕部を施療する前腕エアセルＡ５０４，前腕エアセルＢ５０５が対向して設けられおり、前記両側面の間にある中間面には、前腕エアセルＣ５０６が設けられている。
また、前記肘掛け部５の凹状部分の開口は、横方向であっても、上方向であってもよく、手及び前腕が挿入できればよい。
また、凹状部分に設けられたマッサージ用エアセルは、すべての面にエアセルを設ける必要はなく、被施療者の手や前腕を施療できるように配置されていればよい。
【００２２】
また、前記肩側部６に設けられたマッサージ用エアセル１００は、被施療者の肩や上腕を施療する。
前記肩側部６は、被施療者の左肩に対応する肩エアセルＬ６０１と右肩に対応する肩エアセルＲ６０２を有している。これらのエアセルは複数重合していてもよい。
左側の肩エアセルＬ６０１，右側の肩エアセルＲ６０２によって、被施療者の上腕や肩を横方向又は前方向からも押圧することが可能となっている。
【００２３】
また、枕７に設けられたマッサージ用エアセル１００は、被施療者の首や肩を施療する。
枕７は、直方体形状となっており、中央部に凹状の溝が形成され、前記凹状部に首をいれることが可能となっている。
また、凹状の溝に首を入れると、枕７の下面に肩が位置することとなる。
前記枕７の凹状部分の両側面には、被施療者の首を側方から施療する首エアセルＡ７０１，首エアセルＢ７０２が対向して設けられおり、前記両側面の間にある中間面には、首エアセルＣ７０３が設けられている。
前記枕７の下面には、肩被施療者の肩を施療する肩エアセルＬ７０４と肩エアセルＲ７０５が設けられている。肩エアセルＬ７０４と肩エアセルＲ７０５は、肩を掴むように配置されていてもよい。
【００２４】
前記マッサージ用エアセル１００は、上記の場所に限られず、設けることが可能である。
【００２５】
[マッサージ用エアセルについて]
図４は、本発明のマッサージ用エアセル１００を示す図である。図４では、紙面の上側が前方向、紙面の下側が後方向、紙面の左側が左方向、紙面の右側が右方向と定義している。また、破線のＡＡは、左右方向にマッサージ用エアセル１００を切断する線である。断面図については、図５以下で説明する。
図５は、本発明のマッサージ用エアセル１００を図４に示すＡＡの破線で切断した断面図である。図５では、紙面の上側が上方向、紙面の下側が下方向、紙面の左側が左方向、紙面の右側が右方向と定義している。上記定義は、以下に説明する図６，図７においても同様である。図５ａは、本発明のマッサージ用エアセル１００が収縮状態の断面図である。図５ｂは、本発明のマッサージ用エアセル１００が膨張状態の断面図である。
図６は、本発明のマッサージ用エアセル１００と、従来のマッサージ用エアセル１２０を示す図である。図６ａは、従来品のマッサージ用エアセル１２０が膨張状態の断面図である。図６ａの従来品のマッサージ用エアセル１２０の断面は、本発明のマッサージ用エアセル１００の切断箇所に合わせて切断されている。図６ｂは、本発明のマッサージ用エアセル１００が膨張状態の断面図である。
本発明のマッサージ用エアセル１００と従来のマッサージ用エアセル１２０は、表面１０１と裏面１０２にそれぞれ施療部１０３を有している。表面１０１と裏面１０２の縁部１０４は溶着され、内部の空気が漏れないように形成されている。この縁部１０４の一部には、給排気口１１５が設けられており、エアホースを介してエアポンプ３１からの空気を流入流出させている。
【００２６】
前記施療部１０３は縁部１０４の左右方向の内側に設けられている。
縁部１０４には、マッサージ用エアセル１００を固定するための止着穴１０５が設けられている。
前記止着穴１０５によって、マッサージ用エアセル１００を椅子型マッサージ機１に固定することで、止着穴１０５を支点にマッサージ用エアセル１００が膨張収縮するようになる。
前記施療部１０３には、図４に示す様に、環状に凹凸が形成されており、略中央から縁部１０４に向かって環が大きくなっている。  
【００２７】
図５に示す様に本発明のマッサージ用エアセル１００は、断面において、略中央に設けられた押圧部１０６と、前記押圧部１０６から一方の縁部１０４の間に設けられた第１エリア１０７と、前記押圧部１０６から他方の縁部１０４の間に設けられた第２エリア１０８と、により形成されている。第１エリア１０７と第２エリア１０８は、凹凸状となっている。
また、図５に示す破線は、押圧部１０６と第１エリア１０７と第２エリア１０８を区分けしたものである。
前記施療部１０３の略中央に設けられた押圧部１０６は、マッサージ用エアセル１００が膨張した際に、被施療者に密着して、被施療者の身体を押圧するものである。前記マッサージ用エアセル１００が膨張すると、第１エリア１０７と第２エリア１０８に設けられた凹凸状が伸びてマッサージ用エアセル１００がより膨張できるようになっている。
【００２８】
また、前記凹凸状は、その底と頂点に略平坦部１０９を有しており、前記底の略平坦部１０９と頂点の略平坦部は、傾斜１１０によって接続されている。つまり、傾斜１１０、略平坦部１０９、傾斜１１０、略平坦部１０９、傾斜１１０、略平坦部１０９、傾斜１１０・・・・・となる様に連なって、凹凸状が形成されている。
図で示すエアセルには、凹凸状が複数設けられており、略平坦部１０９と傾斜１１０をすべて図に示すと煩雑になるため、煩雑にならない程度に図番を省いている。
また、傾斜１１０と傾斜１１０は対向するように配置されており、凹凸状の底から頂点までの高さが一定となる様に、傾斜の長さと角度が設定されている。
よって第１エリア１０７と第２エリア１０８の凹凸状の底から頂点の高さは一定となっている。頂点位置を変更するために凹凸状の高さを変更しているものは、高低差ができてしまい、収縮状態となった際に、エアセル全体の高さを一定とすることができないが、本発明のマッサージ用エアセル１００は、略平坦部１０９があるため、傾斜１１０の高さを変更しなくても頂点位置を変更することが可能であり、マッサージ用エアセル１００が収縮状態となった際に、エアセル全体の高さを一定とすることが可能となる。収縮状態のマッサージ用エアセル１００の凹凸状の底から頂点までの高さが一定のため、設置場所を選ばず、マッサージ機の美観を阻害することがない。
【００２９】
また、図５では、前記略平坦部１０９の長さを変更した凹凸状が設けられている。前記略平坦部１０９の長さを変更した凹凸状により、マッサージ用エアセル１００の膨張方向を変更することが可能である。
図５のマッサージ用エアセル１００は、第１エリア１０７の略平坦部１０９が、第２エリアの略平坦部１０９よりも長くなっている。
図５のマッサージ用エアセル１００の第１エリア１０７の略平坦部１０９は、長さが異なる略平坦部１０９を複数有しており、第１エリア１０７の凹凸状の頂点に設けられる略平坦部１０９は、凹凸状の底に設けられる略平坦部１０９よりも長くなっている。また、凹凸状の底に設けられる略平坦部１０９の長さは一定の長さとなっている。
また、第２エリア１０８の略平坦部１０９は、第１エリア１０７の略平坦部１０９よりも短くなっており、第２エリア１０８の略平坦部１０９は、長さが一定となっている。
【００３０】
第１エリア１０７は、長さが異なる略平坦部１０９を複数有しているため、凹凸状は、凹凸の間隔が一定となっていない。
また、マッサージ用エアセル１００の第２エリア１０８の頂点に設けられる略平坦部１０９と凹凸状の底に設けられる略平坦部１０９の長さは同じとなっている。
このため第２エリア１０８の凹凸状は、凹凸の間隔が一定となっている。
この様な第１エリア１０７と第２エリア１０８を有するマッサージ用エアセル１００を膨張させると、第１エリア１０７の凹凸状の頂点に設けられる略平坦部１０９が長いので、押圧部１０６の位置を従来のマッサージ用エアセル１２０に比べて、異なる位置とすることが可能となる。
【００３１】
また、図６には、従来のマッサージ用エアセル１２０と本発明のマッサージ用エアセル１００が膨張した状態で示されている。図６ａに示す、従来のマッサージ用エアセル１２０は、本発明のマッサージ用エアセル１００と同じ構成部分には、同一の図番を振っている。
従来のマッサージ用エアセル１２０は、膨張すると中央に押圧部１０６が位置するが、本発明のマッサージ用エアセル１００は、膨張すると押圧部１０６が中央からズレて位置することとなる。
本発明のマッサージ用エアセル１００は、膨張すると押圧部１０６が中央からズレて位置するので、その膨張の頂点位置を変更することが可能となっている。
また、第１エリア１０７の施療部１０３は長い略平坦部１０９を有するため、長い略平坦部１０９を被施療者の身体に接触させることができ、エアセルと接触する面積を大きくすることが可能となる。
【００３２】
また、図５，６では、第１エリア１０７の凹凸状の頂点に設けられる略平坦部１０９が長くなっていたが、第１エリア１０７の凹凸状の底に設けられる略平坦部１０９が長くなっていてもよい。
頂点位置を変更するためには、押圧部１０６から縁部１０４までの距離を長くすればよく、第１エリア１０７の略平坦部１０９は、第２エリア１０８の略平坦部１０９より長くなっている。
また、第１エリア１０７の略平坦部１０９の合計の長さが第２エリア１０８の略平坦部１０９の合計の長さより長くなっていてもよい。
このように構成することで、第１エリア１０７の略平坦部１０９の長さをそれぞれ異なる様に設けることが可能となる。
上記のように構成しても、施療部１０３の膨張の頂点位置を変更することが可能である。
【００３３】
また、第１エリア１０７の長さの異なる略平坦部１０９は、押圧部１０６から縁部１０４へ向かうほど、略平坦部１０９を長くするようにしてもよい。  
図５の第１エリア１０７では、凹凸状の頂点に設けられる略平坦部１０９は、押圧部１０６から縁部１０４に向かうほど長くなっており、第１エリア１０７において、押圧部１０６に最も近い位置に設けられた略平坦部１０９が最も短く、縁部１０４に最も近い位置に設けられた略平坦部１０９が最も長くなっている。略平坦部１０９を長くしたり短くしたりすることで、マッサージ用エアセル１００の膨張方向を変更することが可能である。
上記例では、凹凸状の頂点に設けられる略平坦部１０９を、凹凸状の底に設けられる略平坦部１０９よりも長くしたが、その逆の凹凸状の底に設けられる略平坦部１０９を凹凸状の頂点に設けられる略平坦部１０９よりも長くすることでも同様の結果が得られる。
【００３４】
また、図７に示す様に、一方の縁部１０４及び他方の縁部１０４は、縁部１０４から立上る立上り辺１１２を有していてもよい、この立上り辺１１２は、凹凸状を所定の高さで支持している。
また、第１エリア１０７の立上り辺１１２と第２エリア１０８の立上り辺１１２でその高さを異なるようにしてもよい。
第１エリア１０７の立上り辺１１２と第２エリア１０８の立上り辺１１２の高さを異なるようにすることで、施療部１０３が傾斜し、マッサージ用エアセル１００の膨張方向を変更することが可能である。
【００３５】
図８は、座面の側部に従来のマッサージ用エアセル１２０と本発明のマッサージ用エアセル１００を設けて、左右の大腿部を押圧している図である。
従来のマッサージ用エアセル１２０に比べて、マッサージ用エアセル１００は、大腿部の側面を上側方向から押圧している。この様に、マッサージ用エアセル１００は、膨張の頂点位置を変更することが可能であるため、押圧位置を変更することが可能である。
また、従来のマッサージ用エアセル１２０でマッサージ用エアセル１００が押圧した箇所を押圧する場合は、従来品のエアセルの取り付け位置を変更する必要があるが、本願のマッサージ用エアセル１００においては、そのような変更は必要なく、押圧位置を変更することが可能である。
【００３６】
図９は、従来のマッサージ用エアセル１２０とマッサージ用エアセル１００を凹状部に設けている。
例えば、腕を施療する凹状部の場合、従来のマッサージ用エアセル１２０とマッサージ用エアセル１００を対向する側面にそれぞれ設けているものであってもよい。
従来のマッサージ用エアセル１２０は、凹状部の一方の面に設けられた第１エアセル１２０であり、マッサージ用エアセル１００は他方の面に設けられた第２エアセル１００である。
また、第１エアセル１２０の止着位置と第２エアセル１００の止着位置は、中間面側に設けられている。
この様な凹状部に腕を位置させた場合、第１エアセル１２０と、第２エアセル１００がただ単に腕を押圧するのではなく、押圧位置がずれて、体感の変化を与えることが可能となる。
この様に対向する面に膨張の頂点位置が異なるエアセルを配置することで、身体を単に挟むだけでなく、変化をつけた押圧が可能となる。  
【００３７】
また、図１０は、凹状部に第１エアセル１００と第２エアセル１００が設けられている。
図１０に示す凹状部の一方の側面部に設けられた第１エアセル１００の止着位置は、凹状部の開口側となっており、第２エアセル１００の止着位置は、凹状部の中間面側となっている。
このため第１エアセル１００が膨張すると、身体を開口側へ押圧し、第２エアセル１００が膨張すると、身体を中間面側へ押圧することとなり、身体に対して斜め方向から押圧することが可能となり、通常では押圧できない箇所を押圧することが可能となる。
【産業上の利用可能性】
【００３８】
本発明は、エアセルの膨張する頂点を変更することが可能であり、広範囲の押圧を可能とするマッサージ用エアセルであり、マッサージ機に適用することができる。
【符号の説明】
【００３９】
１００  マッサージ用エアセル
１１５  給排気口
１０３  施療部
１０４  縁部
１０６  押圧部
１０７  第１エリア
１０８  第２エリア
１０９  略平坦部
【図１】
2016007252.tif 000003
【図２】
2016007252.tif 000004
【図３】
2016007252.tif 000005
【図４】
2016007252.tif 000006
【図５】
2016007252.tif 000007
【図６】
2016007252.tif 000008
【図７】
2016007252.tif 000009
【図８】
2016007252.tif 000010
【図９】
2016007252.tif 000011
【図１０】
2016007252.tif 000012